(57)【要約】【課題】  ハトメ金具本体を形成するフランジ部の上面に刻印などの表示を十分明瞭に形成することを可能にすると共に、その刻印等の形成作業も容易となし、さらには、ハトメ金具本体の孔に縁に紐が擦れて、切れたり損傷したりする不具合も解消させる。【解決手段】  ハトメ金具本体２を構成するフランジ部３の上面に、リング状のキャップ部６を同心状に重合固定し、このキャップ部６の上面には、予め、刻印等による表示６ｄを形成させる。【選択図】      図１
2005270192.tif 000002
【特許請求の範囲】
【請求項１】
ハトメ金具本体を構成するフランジ部の上面に、リング状のキャップ部が同心状に重合固定されてなることを特徴とするハトメ金具。
【請求項２】
前記キャップ部の上面には、予め、刻印による表示が形成されていることを特徴とする請求項１に記載のハトメ金具。
【請求項３】
前記キャップ部の内外周縁部は、前記フランジ部の内外周縁に、湾曲状に被着されていることを特徴とする請求項１又は２に記載のハトメ金具。
【請求項４】
前記キャップ部の外周縁部には、切り込み状の目印が形成されていることを特徴とする請求項１乃至３のいずれか１項に記載のハトメ金具。
【請求項５】
リング状をなし、そのリング主体の外周縁部が略短筒状に一体に折り曲げ形成されてなるキャップ部の上面に、円周方向に沿って刻印による表示を形成し、該表示が形成されたキャップ部を、ハトメ金具本体を構成するフランジ部の上面にカシメ止めにより重合固定することを特徴とするハトメ金具の製造方法。
【発明の詳細な説明】
【技術分野】
【０００１】
本発明は、紐等を通したり、また、装飾等のために、衣服、ベルト等の服飾品、袋物、鞄、靴、テント等の生地に装着して用いるハトメ金具とその製造方法に関するものである。
【背景技術】
【０００２】
ハトメ金具は、ハトメ金具本体を構成し、円筒部の上縁外周に一体にフランジ部が形成された雄側部材を、生地を介して、座板となるリング状の雌側部材に貫通してカシメ止めして用いる。フランジ部には、商標や飾りなどのために、英文字などの表示を刻印により連続又は断続状に形成することがある。
【０００３】
ところが、下記特許文献１にも示されるように、ハトメ金具のフランジ部は、人体に対する肌触りや、装飾上等の理由から、断面が上方向に緩やかに湾曲しており、また、中心孔部に円筒部が一体に形成されている。このため、上記の表示を刻印させる際、刻印の深さが浅くなり、不明瞭になり易く、刻印などの作業も面倒で不良品が発生し易いという課題がある。特に、凸刻印を形成することは、ハトメ金具本体の形状から困難であった。
【０００４】
さらに、ハトメ金具本体の孔の縁に、紐が擦れて、切れたり損傷したりすることがある。
【特許文献１】特開２０００−２６３１５６号公報
【発明の開示】
【発明が解決しようとする課題】
【０００５】
本発明は、上記のような事情に基づいてなされたもので、その目的とするところは、ハトメ金具本体を形成するフランジ部の上面に刻印などの表示を十分明瞭に形成することを可能にすると共に、その刻印等の形成作業も容易となし、さらには、ハトメ金具本体の孔に縁に紐が擦れて、切れたり損傷したりする不具合も解消させることにある。
【課題を解決するための手段】
【０００６】
このため、本発明のハトメ金具１では、図の実施の形態にも示すように、ハトメ金具本体２を構成するフランジ部３の上面に、リング状のキャップ部６が同心状に重合固定されてなることを特徴とする。
【０００７】
前記キャップ部６の上面には、予め、凹刻印或いは凸刻印による表示６ｄを形成させることができる。表示６ｄは、印刷や塗装であってもよく、キャップ部６のリング主体６ａに円周方向に沿って、連続状又は断続状に形成させる。
キャップ部６の上面に、微細な凹凸よりなるエンボス柄や全面塗装を施し、或いは、金属光沢面とすることができ、この場合には、上記表示は無くても良い。
【０００８】
前記キャップ部６の内外周縁部６ｂ，６ｃは、前記フランジ部３の内外周縁に、湾曲状に被着されていることが望ましい。
このような構成とすることにより、フランジ部３の内外周縁の、通し紐や生地に対する当たりが和らげられ、紐や生地Ｋの損傷が防止される。
【０００９】
前記キャップ部６の外周縁部６ｃには、切り込み状の目印６ｅが形成されていることが望ましい。
このような構成とすることにより、ハトメ金具１を生地に打設する時に、表示６ｄの生地Ｋに対する位置を正確に出すことができる。表示６ｄの内容が、例えば、ハトメ金具１が取り付けられるテントの生地の上下方向を表示するような場合など、生地Ｋに対する位置に関連性がある場合に有効である。
【００１０】
また、本発明のハトメ金具の製造方法では、前段工程として、リング状をなし、そのリング主体６ａの外周縁部６ｃが略短筒状に一体に折り曲げ形成されてなるキャップ部６の上面に、円周方向に沿って刻印による表示６ｄを形成し、その後、後段工程として、該表示６ｄが形成されたキャップ部６を、ハトメ金具本体２を構成するフランジ部３の上面にカシメ止めにより重合固定することを特徴としている。
【発明の効果】
【００１１】
本発明では、ハトメ金具本体のフランジ部の上面に、別部材よりなるリング状のキャップ部を重合固着させるようにしたので、該重合固着前の段階で、比較的単純な形状のキャップ部の表面に、刻印やエンボス或いは塗装等の処理を施すことが出来、ハトメ金具本体上面の上記処理を、従来よりも綺麗に且つ容易に行わせることができ、高級感が得られ商品価値が向上するという効果がある。
【００１２】
従来品では、フランジ部が断面方向に湾曲しており且つ孔の中心部の裏面に円筒部が突出し、円筒部とフランジ部の接続部はアール状に形成しなければならないところから、フランジ部上面に刻印を施す場合、フランジ部の上面から型押しする凹刻印しかできなかったが、本発明では、キャップ部の裏面から型押しにより刻印を施すことが可能となり、凸刻印の形成が可能となった。さらに、従来品では、エンボス柄を施すと絞り切れを起こして不可能っであったが、本発明では、可能となった。さらに、従来品では、ハトメ金具本体の円筒部とフランジ部の接続部がアール状に一体に形成されているため、その仕上げ処理に制約があったが、本発明では、キャップ部の内周縁部で上記アール状接続部が覆われることになるので、キャップ部に別途仕上処理を施せばよく、従来のような制約はない。
【００１３】
また、本発明において、キャップ部６の内外周縁部６ｂ，６ｃをフランジ部３の内外周縁に湾曲状に被着させることにより、紐や生地Ｋの損傷が防止される。
【００１４】
また、本発明において、キャップ部６の外周縁部６ｃに切り込み状の目印６ｅを形成させることにより、ハトメ金具１を生地Ｋに打設する時に、表示６ｄの生地Ｋに対する位置の方向性を出すことができる。
【発明を実施するための最良の形態】
【００１５】
以下、本発明の実施の形態を、図面を参照しながら、具体的に説明する。図１乃至図３は、本発明の一実施の形態に係るハトメ金具の取り付け状態を示している。
【００１６】
この実施の形態に係るハトメ金具１は、周知のように、雄側部材となるハトメ金具本体２と雌側部材となるリング状の座板５とが、生地Ｋの表裏にカシメ止めされて取り付けられている。ハトメ金具本体２は、円筒部４の上端縁外周にフランジ部３が一体に形成されており、円筒部４とフランジ部３とは、アール状の接続部を介して一体に連続している。
【００１７】
フランジ部３の上面には、リング状であって略浅いキャップ形のキャップ部６が同心状に重合固定されている。キャップ部６は、フランジ部３よりもやや大径のリング状をなし、その外周縁には、略短筒状の外周縁部６ｃが一体に連続形成されている。キャップ部６のリング主体６ａの上面には、円周方向に連続又は断続して、凹刻印又は凸刻印による表示６ｄが付されている。また、キャップ部６の外周縁部６ｃの縁部には、位置決め用の目印６ｅが、切欠きにより形成されている。
【００１８】
キャップ部６は、ハトメ金具本体２のフランジ部３上に外嵌被着され、カシメにより重合固定される。この固定状態において、キャップ部６の内周縁部６ｂ及び外周縁部６ｃは、フランジ部３の内外縁を包み込むように湾曲状に形成されている。
【００１９】
上記ハトメ金具１の製造は、予め、キャップ部６のリング主体６ａの上面に刻印表示６ｄを形成する。このキャップ部６を、ハトメ金具本体２のフランジ部３上にカシメにより外嵌被着させる。このようにして形成されたハトメ金具本体２の円筒部４を、生地Ｋを通して裏面の座板５の中心孔の裏面外周にカシメ止めする。
【産業上の利用可能性】
【００２０】
本発明のハトメ金具は、公知のハトメ金具と同様に、紐等を通したり、また、装飾等のために、衣服、ベルト等の服飾品、袋物、鞄、靴、テント等の生地に装着して用いることができる。
【図面の簡単な説明】
【００２１】
【図１】本発明に係るハトメ金具の分解斜視図である。
【図２】同、分解断面図である。
【図３】同、取り付け状態を示す断面図である。
【符号の説明】
【００２２】
１  ハトメ金具
２  本体
３  フランジ部
４  円筒部
５  座板
６  キャップ部、６ａ  リング主体、６ｂ  内周縁部、６ｃ  外周縁部、６ｄ  表示、６ｅ  目印
Ｋ  生地
【図１】
2005270192.tif 000003
【図２】
2005270192.tif 000004
【図３】
2005270192.tif 000005